(57)【要約】【課題】  自然現象として生じる応力に耐え得る耐久性を持ち、その施工性、更には水密性を高め得る建築用構造ガスケット及びパネル材の取り付け構造の提供【解決手段】  ゴム素材の押出成形により一体に成形され、枠材に設けられた袋状の溝又はＴ字状の掛支条に保持されるアンカー部１と、当該アンカー部１から延出しパネル材２の端面を覆う突当り部３と、当該突当り部３の先端部から片側又は両側の側方へ延出しパネル材２の外面を支持する外部フランジ４とからなる建築用構造ガスケット。【選択図】      図２
2006161464.tif 000002
【特許請求の範囲】
【請求項１】
ゴム素材の押出成形により一体に成形され、枠材に設けられた袋状の溝又はＴ字状の掛支条に保持されるアンカー部（１）と、当該アンカー部（１）から延出しパネル材（２）の端面を覆う突当り部（３）と、当該突当り部（３）の先端部から片側又は両側の側方へ延出しパネル材（２）の外面を支持する外部フランジ（４）とからなる建築用構造ガスケット。
【請求項２】
前記外部フランジ（４）からアンカー部（１）に亘る一連のＴ字状骨材（５）を埋設した前記請求項１に記載の建築用構造ガスケット。
【請求項３】
前記突当り部（３）に、パネル材（２）の端面に面する凹溝（７）を備える前記請求項１又は請求項２のいずれかに記載の建築用構造ガスケット。
【請求項４】
前記アンカー部（１）の先端部から前記外部フランジ（４）と平行に側方へ延出しパネル材（２）の内面に密着するヒレ部（６）を備える前記請求項１乃至請求項３のいずれかに記載の建築用構造ガスケット。
【請求項５】
前記請求項１乃至請求項３のいずれかに記載の構造ガスケット（８）のアンカー部（１）と枠材（９）を連結し、当該構造ガスケット（８）の外部フランジ（４）の内面に添う様にパネル材（２）を装着し、前記枠材（９）と当該パネル材（２）の内面との間に当該枠材（９）と係合する内部ガスケット（１０）を充填し、当該内部ガスケット（１０）と前記構造ガスケット（８）の外部フランジ（４）とでパネル材（２）の縁部を挟持するパネル材の取り付け構造。
【請求項６】
前記請求項３に記載の構造ガスケット（８）のアンカー部（１）と枠材（９）を連結し、当該構造ガスケット（８）の凹溝（７）に嵌る凸部（１１）を備えた弾性充填材（１２）を一方又は二方に装着し、当該構造ガスケット（８）の外部フランジ（４）の内面に添う様にパネル材（２）を装着し、前記枠材（９）と当該パネル材（２）の内面との間に当該枠材（９）と係合する内部ガスケット（１０）を充填し、当該内部ガスケット（１０）と前記構造ガスケット（８）の外部フランジ（４）とでパネル材（２）の縁部を挟持するパネル材の取り付け構造。
【請求項７】
前記請求項４に記載の構造ガスケット（８）のアンカー部（１）と枠材（９）を連結し、躯体の内側より前記ヒレ部（６）を捲ってパネル材（２）を進入させ、当該構造ガスケット（８）の外部フランジ（４）の内面に添う様にパネル材（２）を装着し、捲り上げたヒレ部（６）を戻して当該パネル材（２）の内面に密着させ、前記枠材（９）と当該パネル材（２）の内面との間に当該枠材（９）と係合する内部ガスケット（１０）を充填し、当該内部ガスケット（１０）と前記ヒレ部（６）とでパネル材（２）の縁部を挟持すると共に、更に当該構造ガスケット（８）の外部フランジ（４）と前記内部ガスケット（１０）とでパネル材（２）の縁部を挟持するパネル材の取り付け構造。
【請求項８】
前記請求項３に記載の構造ガスケットであって且つ請求項４に記載の構造ガスケットでもある構造ガスケット（８）のアンカー部（１）と枠材（９）を連結し、当該構造ガスケット（８）の凹溝（７）に嵌る凸部（１１）を備えた弾性充填材（１２）を一方又は二方に装着し、躯体の内側より前記ヒレ部（６）を捲ってパネル材（２）を進入させ、当該構造ガスケット（８）の外部フランジ（４）の内面に添う様にパネル材（２）を装着し、捲り上げたヒレ部（６）を戻して当該パネル材（２）の内面に密着させ、前記枠材（９）と当該パネル材（２）の内面との間に当該枠材（９）と係合する内部ガスケット（１０）を充填し、当該内部ガスケット（１０）と前記ヒレ部（６）とでパネル材（２）の縁部を挟持すると共に、更に当該構造ガスケット（８）の外部フランジ（４）と前記内部ガスケット（１０）とでパネル材（２）の縁部を挟持するパネル材の取り付け構造。
【発明の詳細な説明】
【技術分野】
【０００１】
本発明は、支持対象のひとつたるガラスパネルの破損を防止し得る建築用構造ガスケットに関するものであって、その施工性、更には水密性を高める得るパネル材の取り付け構造に関するものである。
【背景技術】
【０００２】
従来の建築用構造ガスケット（例えば、図７参照。）は、アルミ枠とパネル材との間の気密・水密性を維持するシール材としての位置づけが強かった為に、地震や強風等によってアルミ枠自体が変形した際には、ガラス板等の脆弱なパネル材がアルミ枠からの応力を受けて破損するという問題があった。こういった不具合に鑑み、アルミ枠の変形による影響を回避すべく、アルミ枠の外へ突出した状態で連結され、当該アルミ枠からある程度独立して存在する形を以ってパネル材を支持し、その柔軟性を以ってアルミ枠の変形によるパネル材への応力を緩和する建築用構造ガスケット（例えば、下記特許文献参照。）が紹介されている。
【０００３】
【特許文献１】特開平９−４３３３号公報
【特許文献２】特開平９−２１７８３５号公報
【特許文献３】特開２０００−８５０３号公報
【発明の開示】
【発明が解決しようとする課題】
【０００４】
しかしながら、上記いずれの特許文献に記載のガスケットも、内外フランジを一体的に具備し、内側にはアンカー部を備え、且つ外側にはパネル材装着の便宜からジッパーを装着するといった構造上、躯体の外側からパネル材を支持する形態を採らざるを得ず、高層建築物が普及する今日、極めて危険で困難な作業を余儀なくされていた。本発明は、当該実情に鑑み、自然現象として生じる応力に耐え得る耐久性を持ち、その施工性、更には水密性を高め得る建築用構造ガスケット及びパネル材の取り付け構造の提供を目的とする。
【課題を解決するための手段】
【０００５】
上記課題を解決するために為された本発明による建築用構造ガスケットは、ゴム素材の押出成形により一体に成形され、枠材に設けられた袋状の溝又はＴ字状の掛支条に保持されるアンカー部と、当該アンカー部から延出しパネル材の端面を覆う突当り部と、当該突当り部の先端部から片側又は両側の側方へ延出しパネル材の外面を支持する外部フランジとからなる（第１の実施の形態）ことを特徴とし、前記外部フランジからアンカー部に亘る一連のＬ字状又はＴ字状骨材を埋設する第２の実施の形態や、前記突当り部に、パネル材の端面に面する凹溝を備える第３の実施の形態や、前記アンカー部の先端部から前記外部フランジと平行に側方へ延出しパネル材の内面に密着するヒレ部を備える第４の実施の形態が可能である。
【０００６】
また、上記構造ガスケットを用いたパネル材の取り付け構造としては、下記の通りである。
前記第１の実施の形態乃至第３の実施の形態のいずれかの構造ガスケットのアンカー部と枠材を連結し、当該構造ガスケットの外部フランジの内面に添う様にパネル材を装着し、前記枠材と当該パネル材の内面との間に当該枠材と係合する内部ガスケットを充填し、当該内部ガスケットと前記構造ガスケットの外部フランジとでパネル材の縁部を挟持する第１のパネル材の取り付け構造。
【０００７】
前記第３の実施の形態の構造ガスケットのアンカー部と枠材を連結し、当該ガスケットの凹溝に嵌る凸部を備えた弾性充填材を一方又は二方に装着し、当該構造ガスケットの外部フランジの内面に添う様にパネル材を装着し、前記枠材と当該パネル材の内面との間に当該枠材と係合する内部ガスケットを充填し、当該内部ガスケットと前記構造ガスケットの外部フランジとでパネル材の縁部を挟持する第２のパネル材の取り付け構造。
【０００８】
前記第４の実施の形態の構造ガスケットのアンカー部と枠材を連結し、躯体の内側より前記ヒレ部を捲ってパネル材を進入させ、当該構造ガスケットの外部フランジの内面に添う様にパネル材を装着し、捲り上げたヒレ部を戻して当該パネル材の内面に密着させ、前記枠材と当該パネル材の内面との間に当該枠材と係合する内部ガスケットを充填し、当該内部ガスケットと前記ヒレ部とでパネル材の縁部を挟持すると共に、更に当該構造ガスケットの外部フランジと前記内部ガスケットとでパネル材の縁部を挟持する第３のパネル材の取り付け構造。
【０００９】
前記第３の実施の形態であって且つ第４の実施の形態の構造ガスケットのアンカー部と枠材を連結し、当該ガスケットの凹溝に嵌る凸部を備えた弾性充填材を一方又は二方に装着し、躯体の内側より前記ヒレ部を捲ってパネル材を進入させ、当該構造ガスケットの外部フランジの内面に添う様にパネル材を装着し、捲り上げたヒレ部を戻して当該パネル材の内面に密着させ、前記枠材と当該パネル材の内面との間に当該枠材と係合する内部ガスケットを充填し、当該内部ガスケットと前記ヒレ部とでパネル材の縁部を挟持すると共に、更に当該構造ガスケットの外部フランジと前記内部ガスケットとでパネル材の縁部を挟持する第４のパネル材の取り付け構造。
尚、これらのパネル材の取り付け構造は、状況に応じて室内側と室外側を逆にして施工することも出来ないことはない。
【発明の効果】
【００１０】
上記本発明による建築用構造ガスケットによれば、パネル材の装着に先駆けて窓等の躯体開口部に設けられた枠に当該構造ガスケットを装着し、躯体の内部から当該構造ガスケットの外部ブラケットの内面に前記パネル材を密着させる形での装着作業が可能となるので、たとえ高層建築物等であっても、躯体内部からの作業が行えることとなり、構造上、地震や強風等によるパネル材の破損を回避できることはもとより、施工時における作業の安全性が飛躍的に高まることとなる。
【００１１】
また、パネル材に対する内部からの支持材（フランジ等）を別体として装着することで、問題となる気密・水密性は、アンカー部の先端部から前記外部フランジと平行に側方へ延出しパネル材の内面に密着するヒレ部を備えることによって、外部フランジ及び内部フランジを一体的に具備する従来技術（前記特許文献１乃至３参照。）と同様に確保できることはもとより、パネル材を支持するに足る強度を備えていない前記ヒレ部の柔軟さによって、躯体内部からの施工の妨げとならず安全な施工作業が行えることとなる。
【発明を実施するための最良の形態】
【００１２】
以下、本発明による建築用構造ガスケットの実施の形態を図面に基づき説明する。
本発明による構造ガスケットは、当該構造ガスケット８のアンカー部１と枠材９を連結し、当該構造ガスケット８の外部フランジ４の内面に密着する様にパネル材２を装着し、前記枠材９と当該パネル材２の内面との間に当該枠材９と係合する内部ガスケット１０を充填し、当該内部ガスケット１０と前記構造ガスケット８の外部フランジ４とでパネル材２の縁部を挟持する形態の取り付け構造に用いられる。
【００１３】
図１乃至図６に示す例は、シリコンゴム、クロロプレンゴム、エチレンプロピレンゴム、ポリエチレン、ポリウレタン、ポリ塩化ビニル等の弾性保持力が高く耐候性の高いゴム素材から一体的に押出成形され、枠材に設けられた締結部に保持されるアンカー部１と、当該アンカー部１から延出しパネル材２の端面を覆う突当り部３と、当該突当り部３の先端部から片側又は両側の側方へ延出しパネル材２の外面を支持する外部フランジ４とからなり、当該構成によってＴ字状の断面を形作る建築用構造ガスケットである。
【００１４】
また、当該例における前記内部ガスケット１０は、前記構造ガスケット８と同様の素材から成形され、そのベース部１３から、前記パネル材２の縁部に密着するフランジ部１４と、枠材９に嵌入する（枠材が嵌入するものであってもよい。）アンカー部１５とが平行に延設され、前記フランジ部１４のかかり代の先端にリップ部１６を備え、当該かかり代の末端部に枠材９に掛かる掛支部１７を備えたものである。
【００１５】
前記パネル材２とは、ガラス板をはじめ、樹脂パネル、構成パネル、ハニカムパネル、石材パネル、コンクリートパネル等、壁面や屋根面を構成し得るパネル全般を含むものであって、周囲をガスケットに保持され、前記枠材に連結されることで、障子や嵌殺し窓、或いはパーテンション等を構成する。
【００１６】
前記枠材９は、材軸方向に連続する形状を呈したアルミニウム合金の押出形材や鋼材等で形成され、開口部又は仕切るべき箇所或いは区画すべき箇所の外縁を形作り、パネル材２が受ける応力を弾性並びに水密・気密性を有するガスケットを介して前記パネル材２の室内側から負担するものである。
【００１７】
当該例に用いた枠材９は、前記構造ガスケット８を支持するベースフレーム９ａと、その左右に組み付けられパネル材２に対するかかり代となる一対のサイドフレーム９ｂとで構成される。
【００１８】
前記ベースフレーム９ａは、前記パネル材２を躯体に組み付けられた枠材９の室内側から室外側へ通過させ得るように、相隣接するパネル材２，２間の組付け時における隙間より幅狭く設定された枠材であって、表面側の中央部に前記締結部として設けられた前記袋状の溝（以下、袋溝１８と記す。）と、当該袋溝１８を囲む両側壁の上端から各々内側へ張り出した掛支部１９と、前記サイドフレーム９ｂをそれぞれ室外向きに（室内側へ後退しない様に）支持する連結部（当該例では室外側への屈曲部を有する連結フック）２０を備え、前記袋溝１８に前記内部ガスケット１０のアンカー部１５が嵌入され、前記連結フック２０を介してサイドフレーム９ｂが組みつけられる。
【００１９】
前記サイドフレーム９ｂは、前記パネル材２の内面縁部を支持する内部ガスケット１０を装着する為の締結部として袋溝２１が側方に向けて設けられ、当該袋溝２１を囲む両側壁の末端から各々袋溝２１の内側へ張り出した掛支部２２と、前記ベースフレームの連結部２０に室外向きに支持されるための連結部（当該例では室内側への屈曲部を有する連結フック）２３を備えている。
【００２０】
当該例では、上記の如く開口部を囲う枠材（ベースフレーム９ａ）９の締結部たる袋溝１８と構造ガスケット８のアンカー部１とを嵌合することによって当該構造ガスケット８と枠材９を連結し、躯体の内側より当該構造ガスケット８の外部フランジ４の内面に添う様にパネル材２を装着し、前記サイドフレーム９ｂを前記連結部２０，２３を介してベースフレーム９ａに組付ける。これによって、装着したパネル材２に対する室内側の前記かかり代が形成され当該パネル材２の組付け領域からの離脱が不能となる。この時、前記外部フランジ４の内面と当該サイドフレーム９ｂのかかり代との間には前記内部ガスケット１０が弾性的に充填されるだけの隙間が形成されており、当該隙間に内部ガスケット１０のフランジ部１４を装填しつつ前記サイドフレーム９ｂに設けられた締結部たる袋溝２１と前記内部ガスケット１０のアンカー部１５とを嵌合する。これによって前記内部ガスケット１０は、前記枠材（サイドフレーム９ｂ）９と当該パネル材２の内面との間に当該枠材９と係合する形で充填され、当該内部ガスケット１０と前記構造ガスケット８の外部フランジ４とでパネル材２の縁部を挟持する状態で前記枠材９にパネル材２が水密・気密状態で取り付けられる。
【００２１】
前記ベースフレーム９ａとサイドフレーム９ｂとは、パネル材２の支持強度を維持しつつ、前記の如くパネル材２を躯体に組み付けられた枠材９の室内側から室外側へ通過させ得るように複合材としたものであるが、前記の如くパネル材２が支持領域から離脱できる状態であっても、前記内部ガスケット１０を装着することによって当該パネル材２を十分な支持強度を以って室内側から支え得る様な、前記内部ガスケット１０の強度並びに当該内部ガスケット１０と枠材９との連結強度があれば、前記ベースフレーム９ａやサイドフレーム９ｂ等に分離可能な構成とすることなく一体成形しても良い。
【００２２】
尚、支持強度を高める必要がある場合には、前記外部ガスケットであれば、図５の如く、前記枠材９と同様の素材からなり前記外部フランジ４からアンカー部１に亘る一連のＴ字状骨材５を埋設し、前記内部ガスケット１０であれば、図５の如く、前記枠材９と同様の素材からなり前記ベース部１３からフランジ部１４に亘ってＬ字状に屈曲した一連のＬ字状骨材２４を埋設する等すればよい。
【００２３】
一方、用途や設置場所に応じて更なる水密・気密性が要求される場合には、前記構造ガスケット８におけるアンカー部１の先端部から前記外部フランジ４と平行に側方へ延出しパネル材２の内面に密着するヒレ部６を備える構造ガスケット８を用いれば良い（図４乃至図６参照）。当該例におけるヒレ部６は、約１ｍｍから５ｍｍ程度の薄肉な支持能力の無い平坦な内部フランジであり、当該構造ガスケット８の外部フランジ４の内面に密着する様にパネル材２を装着する際の障害とならない程度の柔軟性及び復元性を備え、且つ当該ヒレ部６のパネル材２の内面に対する密着により、当該パネル材２を境として雨水等の通過を遮断する密着性を具備することが求められる。
【００２４】
当該例では、上記の如く開口部を囲う枠材（ベースフレーム９ａ）９の締結部たる袋溝１８と構造ガスケット８のアンカー部１とを嵌合することによって当該構造ガスケット８と枠材９を連結し、躯体の内側より前記ヒレ部６を捲ってパネル材２を進入させ、当該構造ガスケット８の外部フランジ４の内面に添う様にパネル材２を装着し、捲り上げたヒレ部６を戻して当該パネル材２の内面に密着させる。これによって当該パネル材２の装着作業における事実上の仮止め作業となる。
【００２５】
続いて、先に記したヒレ部６を具備しない構造ガスケット８でのパネル材２の取り付け方法と同様に、前記サイドフレーム９ｂを前記連結部２３，２０を介してベースフレーム９ａに組付け、前記外部フランジ４の内面と当該サイドフレーム９ｂのかかり代との隙間に内部ガスケット１０のフランジ部１４を装填しつつ前記サイドフレーム９ｂに設けられた締結部たる袋溝２１と前記内部ガスケット１０のアンカー部１５とを嵌合する。これによって前記内部ガスケット１０は、前記枠材（サイドフレーム９ｂ）９と当該パネル材２の内面との間に当該枠材９と係合する形で充填され、前記構造ガスケット８の外部フランジ４と前記ヒレ部６とでパネル材２の縁部を挟持すると共に、更に当該構造ガスケット８の外部フランジ４と前記内部ガスケット１０とでパネル材２の縁部を挟持する状態で前記枠材９にパネル材２がより高い水密・気密状態で取り付けられる。
【００２６】
この様にパネル材２の水密性を高め得る適正な装着条件として、パネル材２の全周に亘って均等に構造ガスケット８のかかり代が機能している必要があり、その為には、パネル材２の支持位置が安定している必要がある。その反面、パネル材２を円滑に装着し、前記自然から受ける応力に対抗し得る耐久性を持つ為には、前記構造ガスケット８の端面と突当り部３との間に適当なクリアランスが存在する必要性もある。
【００２７】
前記構造ガスケット８の突当り部３に、パネル材２の端面に面する凹溝７を設けておけば、上記の如く開口部を囲う枠材（ベースフレーム９ａ）９の締結部たる袋溝１８と構造ガスケット８のアンカー部１とを嵌合することによって当該構造ガスケット８と枠材９を連結し、当該凹溝７に嵌る凸部１１を備えた弾性充填材１２を装着し、躯体の内側よりパネル材２を進入させ（ヒレ部６を有する場合は当該ヒレ部６を捲ってパネル材２を進入させ）、当該構造ガスケット８の外部フランジ４の内面に添う様にパネル材２を装着し、（ヒレ部６を有する場合は、捲り上げたヒレ部６を戻して当該パネル材２の内面に密着させ、）前記サイドフレーム９ｂを前記連結部２３，２０を介してベースフレーム９ａに組付け、前記パネル材２の内面と当該サイドフレーム９ｂのかかり代との隙間に内部ガスケット１０のフランジ部１４を装填しつつ前記サイドフレーム９ｂに設けられた締結部たる袋溝２１と前記内部ガスケット１０のアンカー部１５とを嵌合するといった上記要件を満足したパネル材２の取り付け構造並びに取り付け作業が可能となる。
【００２８】
当該例における弾性充填材１２は、発泡樹脂やエラストマー等の弾性樹脂による全長等断面の成形品であって、その高さは、前記構造ガスケット８の端面と突当り部３との間に形成されたクリアランス（以下、突当りクリアランスと記す。）と略等しくすれば良いが、施工の際、或いは台風や地震等による応力がかかった際の変形の自由度を確保すべく幅は前記突当りクリアランスの領域に生じる空隙の幅よりも全体的或いは部分的に狭く設定し、前記突当りクリアランスの領域に生じる空隙の全体に充満しない形状に設定する。
【００２９】
前記弾性充填材１２の装着の態様としては特に制限が無く、必要に応じて装着すれば良い。たとえば、前記構造ガスケット８を縦枠材に装着し、その左右でパネル材２，２を保持する場合には、両パネル材２，２の水平方向への摺動や位置ずれが生じ易いので、前記突当り部３の両側に弾性充填材１２，１２を装着することが望ましい。前記構造ガスケット８を横枠材に装着し、その上下でパネル材２，２を保持する場合には、上下パネル材２，２の上下方向への摺動や位置ずれは生じ難く、当該構造ガスケット８に比べて柔軟性が高く保形性に劣る弾性充填材をパネル材２の下に敷く方が却って位置ずれを招来し易い、よって前記突当り部３の下側（パネル材の上）に弾性充填材１２を装着し、パネル材２が浮かないように上から押さえる状態に支持するのが望ましい。
【産業上の利用可能性】
【００３０】
上記本発明による建築用構造ガスケット及びパネル材の取り付け構造によれば、種々の建築施工において、パネルの装着作業を安全に行うことが出来、パネル材を弾性的に支持することによって、地震や台風等によるパネル材の破損や、それに伴う躯体の被害を防止することができる。
【図面の簡単な説明】
【００３１】
【図１】（イ）は、本発明による建築用構造ガスケットの一例を示す断面図であり、（ロ）は、本発明による建築用構造ガスケットの一例を示す側面図である。
【図２】本発明による建築用構造ガスケット及びパネルの取り付け構造の一例を示す断面図である。
【図３】本発明による建築用構造ガスケット及びパネルの取り付け構造の一例を示す断面図である。
【図４】本発明による建築用構造ガスケット及びパネルの取り付け構造の一例を示す断面図である。
【図５】本発明による建築用構造ガスケット及びパネルの取り付け構造の一例を示す断面図である。
【図６】本発明による建築用構造ガスケット及びパネルの取り付け構造の一例を示す断面図である。
【図７】従来の建築用構造ガスケット及びパネルの取り付け構造の一例を示す断面図である。
【符号の説明】
【００３２】
１  アンカー部，２  パネル材，３  突当り部，４  外部フランジ，
５  Ｔ字状骨材，６  ヒレ部，７  凹溝，８  構造ガスケット，
９  枠材，９ａ  ベースフレーム，９ｂ  サイドフレーム，
１０  内部ガスケット，
１１  凸部，１２  弾性充填材，
１３  ベース部，１４  フランジ部，１５  アンカー部，１６  リップ部，
１７  掛支部，１８  袋溝，１９  掛支部，２０  連結部，
２１  袋溝，２２  掛支部，２３  連結部，
２４  Ｌ字状骨材，
【図１】
2006161464.tif 000003
【図２】
2006161464.tif 000004
【図３】
2006161464.tif 000005
【図４】
2006161464.tif 000006
【図５】
2006161464.tif 000007
【図６】
2006161464.tif 000008
【図７】
2006161464.tif 000009